(57)【特許請求の範囲】
【請求項１】
移動無線システムでショートメッセージを制御するための方法において、
移動加入者の通信端末機（ＭＳＡ）からショートメッセージ（ＳＭ）を移動無線網（例えばＨＰＬＭＮ）に送信し、前記移動加入者を管轄する交換装置（ＭＳＣ）にルーティングし、
交換装置（ＭＳＣ）により、前記移動加入者に対してショートメッセージサービスの処理を管轄するサービス装置（例えばＳＭＳＣ０，ＳＭＳＣ２）を指示するアドレス（ＡＳＭ，ＢＳＭ）をショートメッセージと共に受信し、
受信されたアドレス（ＡＳＭ，ＢＳＭ）が交換装置（ＭＳＣ）のアドレステーブル（ＴＡＢ）に含まれている場合、ショートメッセージ（ＳＭ）をサービス装置（例えばＳＭＳＣ０，ＳＭＳＣ２）での中間記憶、および別の加入者の通信端末機（ＭＳＢ）への送信のためにルーティングする、
ことを特徴とする制御方法。
【請求項２】
アドレステーブル（ＴＡＢ）に、ショートメッセージサービスの処理のために設けられたサービス装置（例えばＳＭＳＣ０）の全てのアドレスを登録する、請求項１記載の方法。
【請求項３】
アドレステーブル（ＴＡＢ）に、サービス装置（例えばＳＭＳＣ２）のアドレスを加入者に関連して登録する、請求項１または２記載の方法。
【請求項４】
移動加入者に対するサービス装置（例えばＳＭＳＣ２）のアドレスを、当該加入者のホーム移動無線網（例えばＦＰＬＭＮ）の中央加入者データベースでそれぞれ個別に管理し、
当該加入者の滞在地が変化するとき、目下の管轄交換装置（ＭＳＣ）に配属された分散型加入者データベース（ＶＬＲ）をロードする、請求項３記載の方法。
【請求項５】
移動無線網（例えばＦＰＬＭＮ）の移動加入者に対して、ネット固有のサービス装置（例えばＳＭＳＣ２）のアドレス（ＢＳＭ）を中央加入者データベース（ＨＬＲ）に個別に登録する、請求項４記載の方法。
【請求項６】
アドレステーブル（ＴＡＢ）に登録されたアドレスは、ホーム移動無線網の外に配置されたサービス装置（例えばＳＭＳＣ１，ＳＭＳＣ２）のアドレスも含む、請求項１または２記載の方法。
【請求項７】
アドレスは、ビジター移動無線網に配置されたサービス装置（例えばＳＭＳＣ２）を指示する、請求項６記載の方法。
【請求項８】
交換装置（ＭＳＣ）により、ショートメッセージ（ＳＭ）のルーティングの前に、受信されたアドレスとアドレステーブル（ＴＡＢ）に登録されたアドレスとの比較をアドレスＩＤについて実行する、請求項１から７までのいずれか１項記載の方法。
【請求項９】
受信されたアドレス（ＡＳＭ）がアドレステーブル（ＴＡＢ）に登録されていない場合に対して、ショートメッセージ（ＳＭ）の非送達についての情報（ＦＡＩ）を交換装置（ＭＳＣ）により発生し、移動加入者の通信端末機（ＭＳＡ）に逆送信する、請求項１から８までのいずれか１項記載の方法。
【請求項１０】
ショートメッセージ（ＳＭ）を別の移動加入者の通信端末機（ＭＳＢ）にルーティングする、請求項１から９までのいずれか１項記載の方法。
【請求項１１】
ショートメッセージ（ＳＭ）を線路接続された加入者の通信端末機にルーティングする、請求項１から９までのいずれか１項記載の方法。
【請求項１２】
移動加入者の通信端末機（ＭＳＡ）と、前記移動加入者を管轄する交換装置（ＭＳＣ）と、該交換装置（ＭＳＣ）内の制御手段とを有し、
前記移動加入者の通信端末機は、ショートメッセージ（ＳＭ）を移動無線網（例えばＨＰＬＭＮ）に送信し、
前記交換装置（ＭＳＣ）は、ショートメッセージ（ＳＭ）と、前記移動加入者に対してショートメッセージサービスの処理を管轄するサービス装置（例えばＳＭＳＣ０，ＳＭＳＣ２）を指示するアドレス（ＡＳＭ，ＢＳＭ）を受信し、
前記制御手段は、受信されたアドレス（ＡＳＭ、ＢＳＭ）が交換装置（ＭＳＣ）のアドレステーブル（ＴＡＢ）に含まれている場合、ショートメッセージ（ＳＭ）をサービス装置（例えばＳＭＳＣ０，ＳＭＳＣ２）に中間記憶し、別の加入者の通信端末機にルーティングする、
ことを特徴とする移動通信システム。
【発明の詳細な説明】
【０００１】
本発明は、ショートメッセージサービスを制御するための方法および移動通信システムに関する。
ショートメッセージサービスは、移動無線網の移動加入者に対し、英数字通信をその移動局を介して送信および受信することを可能にする。各移動加入者は、移動無線網の加入者データベース（ホームレジスタ）にそのデータとサービスが登録される。ここでショートメッセージサービスを利用するためには、相応の領域情報が存在しなければならない。１つまたは複数のショートメッセージが移動無線網の移動加入者（Ａ加入者）の通信端末機から別の加入者（Ｂ加入者）に送信され、ショートメッセージサービスのために設けられたサービス装置（ショートメッセージサービスセンタ）に通常は中間記憶される。通常は、中間記憶されたショートメッセージを備えた複数のサービス装置が存在する。
移動無線網において現在のところ、ネットワークプロバイダが所定のサービス装置を固有の加入者に対してブロックすることはできない。すなわち、各移動加入者は自分の通信端末機を介して、自分のショートメッセージを任意のサービス装置により送信することができる。自分の加入者に固有のサービス装置を提供するネットワークプロバイダは、この加入者が別のネットワークプロバイダのサービス装置を使用することを阻止できず、そのため外部のネットワーク装置の使用コストが発生する。
【０００２】
ＷＯ９５／１２２９２には、ショートメッセージを、ショートメッセージ送信機のＳＭＳＣを介しても、ショートメッセージ受信機のＳＭＳＣを介しても送信することが開示されており、ここで受信機ＳＭＳＣアドレスはＨＬＲに記憶することができる。これにより、ショートメッセージの送信者はこの情報を自分で知る必要がない。ＳＭＳＣアドレスはＨＬＲから、ショートメッセージをさらに転送するＭＳＣへ送信される。ここではＳＭＳＣアドレスをＭＳＣのリストに記憶することは行われない。
本発明の課題は、ショートメッセージサービスの制御を移動無線網のネットワークプロバイダに有利なように改善することができ、ショートメッセージが通信端末機ないし移動無線加入者から任意のサービス装置、とりわけ外部にあり、場合によりコストの掛かるネットワークへルーティングされることが回避されるような方法および移動通信システムを提供することである。
【０００３】
この課題は本発明により、請求項１記載の方法および請求項１２記載の移動通信システムによって解決される。本発明のさらなる改善は従属請求項に記載されている。
移動加入者の通信端末機からショートメッセージが移動無線網に送信され、この移動加入者を管轄する交換装置にルーティングされることから出発して、本発明の対象では、ショートメッセージの処理を管轄するサービス装置を移動加入者に対して指示するアドレスを、ショートメッセージと共に交換装置から受信し、受信されたアドレスが交換装置のアドレステーブルに含まれている場合、ショートメッセージをサービス装置に中間記憶し、別の加入者の通信端末機にルーティングする。
このようにして、ショートメッセージが通信端末機ないし移動加入者から任意のサービス装置、とりわけ外部の、場合によりコストの掛かるネットワークへルーティングされることが阻止される。アドレステーブルと、端末機によりそれぞれ受信されたサービス装置アドレスの評価とによって、簡単な手段と経済的な手法で、ネットワークプロバイダによりこの加入者に対して設置された安価なサービス装置が使用されるようになり、他のサービス装置は固有の加入者に対してブロックされる。
アドレステーブルにショートメッセージサービスの処理のために設けられたサービス装置の全てのアドレスを登録すると有利である。これにより、ショートメッセージサービスを行うネット内部のサービス装置とネット外部のサービス装置とを検出することができる。このことはネットワークプロバイダおよび加入者に対して付加的なフレキシビリティを提供する。
本発明の特に有利な変形実施例では、アドレステーブルにサービス装置のアドレスを加入者に関連して登録する。これによりサービス装置のブロックないしイネーブルを加入者個別に行うことができる。すなわち、一時的にビジター移動無線網に（ローミング加入者として）滞在する移動加入者は、自分のホーム移動通信網のサービス装置にアクセスすることができるが、固有の加入者に対しては禁止されたままである。
有利には、移動加入者に対するサービス装置のアドレスは、自分のホーム移動無線網の中央加入者データベースでそれぞれ個別に管理され、加入者の滞在地が変化するときに、瞬時に管轄する交換装置に配属された中央加入者データベースにロードされる。
本発明の別の有利な構成によれば、移動無線網の移動加入者に対してネット固有のサービス装置のアドレスだけが中央加入者データベースに個別の登録される。このことにより、使用可能なサービス装置のアドレスが使用不能なサービス装置のアドレスから区別され、ショートメッセージのルーティングに対して適切なサービス装置が使用される。
したがって本発明の有利な実施例では、アドレステーブルに登録されたアドレスが、ホーム移動無線網の外に配置されたサービス装置のアドレス、例えばビジター移動無線網に配置されたサービス装置のアドレスも含む。
有利には交換装置は、ショートメッセージのルーティングの前に、受信されたアドレスをアドレステーブルに登録されたアドレスとアドレスＩＤについて比較する。
受信されたアドレスがアドレステーブルに登録されていない場合に対しては、ショートメッセージの送達不能についての情報を交換装置により生成し、移動加入者の通信端末機に逆送信すると有利である。
本発明の移動通信システムは、ショートメッセージを移動無線網に送信する移動加入者の通信端末機の他に、移動加入者を管轄する交換装置をショートメッセージとアドレスの受信のために有する。このアドレスは、移動加入者に対してショートメッセージサービスの処理を管轄するサービス装置を指示するものである。さらに制御手段が交換装置に設けられている。この制御手段は、サービス装置に中間記憶し、他の加入者の通信端末機に送信するためのショートメッセージを、受信されたアドレスが交換装置のアドレステーブルに含まれていない場合、ルーティングする。
本発明を、図面に示された実施例に基づき詳細に説明する。
図１は、ショートメッセージサービスを制御するための移動通信システムの第１変形実施例のブロック回路図である。
図２は、ショートメッセージサービスを制御するための移動通信システムの第２変形実施例のブロック回路図である。
図１には、移動加入者が目下、自分のホーム移動無線網に滞在しており、公知のショートメッセージサービスによるショートメッセージを送受信できることが示されている。ショートメッセージサービスの制御の際には、移動加入者により自分の通信端末機ＭＳＡ、この実施例では移動局を介してショートメッセージＳＭが発生され、他の加入者の通信端末機ＭＳＢ、この実施例では同様に移動局へ送信される。ショートメッセージＳＭの送受信に対する前提は、移動無線加入者がショートメッセージサービスを利用する資格を有することであり、移動局にその滞在地に依存してそれぞれの移動無線網で到達可能であることである。しかしＡ加入者から送信されたショートメッセージは同じように線路接続された通信網の加入者、例えばＩＳＤＮ加入者、または無線通信網の加入者、例えばＤＥＣＴ加入者により相応の通信端末機を介して受信することができる。
この実施例ではさらに、移動局ＭＳＡ，ＭＳＢが同じ移動無線網ＨＰＬＭＮに滞在しており、加入者データベースに登録されていることを前提とする。移動無線網ＨＰＬＭＮは基地局を有し、この基地局は無線技術的に移動無線網の部分システムに属し、無線通信区間を介して移動局ＭＳＡ、ＭＳＢと通信する。移動無線網ＨＰＬＭＮの無線技術的な部分システムはさらに基地局制御部を有し、この制御部は無線技術的な制御機能を引き受け、それぞれ複数の基地局と接続されている。各基地局制御部はインターフェースを介して、移動無線網ＨＰＬＭＮの少なくとも１つの交換装置ＭＳＣ（移動交換局）と接続されている。この交換装置の管轄領域には移動加入者の移動局ＭＳＡも存在する。ここで通常この交換装置ＭＳＣには分散型加入者データベース、すなわちビジターレジスタが、移動加入者の加入者データを記憶および管理するために、それらがそれぞれ管轄領域に滞在する間、配属される。ショートメッセージサービスを処理するために、交換装置ＭＳＣは交換技術的な機能を引き受ける。これは例えば、該当するショートメッセージＳＭを交換装置と接続されたサービス装置へルーティングすること、この実施例ではネット固有のサービス装置ＳＭＳＣ０（ＳＭＳ移動交換局）にルーティングすることである。このサービス装置ＳＭＳＣ０は、交換装置ＭＳＣから到来したショートメッセージＳＭを中間記憶し、次いで、このショートメッセージは移動加入者を管轄する無線技術的な部分システムの基地局を介して通信装置ＭＳＢへ送信される。
交換装置ＭＳＣはアドレステーブルＴＡＢを有し、このアドレステーブルにはショートメッセージサービスを処理するために設けられた全てのサービス装置ＳＭＳＣ０...のアドレスＡＳＭ...が登録されている。この実施例で交換装置ＭＳＣは、ショートメッセージと共に次のアドレスを受信する。すなわち、通信端末機ＭＳＡによりＡ加入者に対して適切なサービス装置として管理されたアドレスＡＳＭを受信する。このアドレスが、図示のようにテーブルＴＡＢ内に存在すれば、このことが交換装置ＭＳＣ内の制御ユニットＣＭにより、有利には単純なアドレス比較により検出される。そしてショートメッセージサービスの処理が指示されたサービス装置により行われる。この実施例では、制御ユニットＣＭはショートメッセージＳＭを、アドレスＡＳＭにより識別されたサービス装置ＳＭＳＣ０にルーティングする。このサービス装置は到来したショートメッセージＳＭを中間記憶し、目的加入者の通信端末機ＭＳＢへ後の時点でさらに導通する。
交換装置ＭＳＣの制御ユニットＣＭは、受信されたアドレスＡＳＭがアドレステーブルＴＡＢに登録されていない場合に対して、ショートメッセージＳＭの非送達についての情報を生成し、この情報を移動加入者の通信端末機ＭＳＢへ逆送信する。しかし到来したアドレスが、アドレステーブルＴＡＢに登録されているサービス装置の別のアドレスと一致すれば、受信されたショートメッセージＳＭがこのサービス装置にルーティングされ、さらにそこからＢ加入者へルーティングされる。この実施例では２つの別のサービス装置ＳＭＳＣ１，ＳＭＳＣ２が図示されている。これらのうちサービス装置ＳＭＳＣ２は別の移動無線網ＦＰＬＭＮに配置されており、サービス装置ＳＭＳＣ１は個別のネットノードとして、移動無線網ＨＰＬＭＮ、ＦＰＬＭＮに接続されずに配置されている。移動無線網ＦＰＬＭＮは、Ｂ加入者がローミングの場合、ビジター移動無線網となる。
このようにして、ショートメッセージＳＭは、交換装置ＭＳＣでのアドレステーブルＴＡＢに基づいての評価の後、テーブル登録を有するサービス装置にだけさらに伝送される。テーブル登録、すなわち例えば移動加入者のショートメッセージＳＭを処理するためのサービス装置ＳＭＳＣ０...を指示するＡＳＭ...は、移動無線網ＨＰＬＭＮのネットワークプロバイダから交換装置ＭＳＣへの相応のアクセスによりいつでも申請することができ、再び更新することができる。したがって、ネットプロバイダーＡの移動加入者は、ネットプロバイダーＢのサービス装置のアドレスを加入者データとして管理することができ、ショートメッセージをネットプロバイダーＢのサービス装置を介しておよび／またはネットプロバイダーＡのサービス装置を介して送信することができる。
交換装置ＭＳＣにサービス制御個所（サービスコントロールポイント）が接続されている場合に対しては、本発明によるショートメッセージサービスの相応の処理がＩＮサービス（インテリジェントネットワーク）、例えばプリペイドサービスに対しても行われる。このサービスではシグナリングが通信端末機から交換装置ＭＳＣを介してインテリジェントネットワークのサービス制御個所まで経過する。
図２は本発明の択一的実施例を示す。この実施例では、ショートメッセージサービスを処理するのに適し、選択可能であるサービス装置のアドレスＢＳＭが加入者に関連して交換装置ＭＳＣのアドレステーブルＴＡＢに登録される。自分の移動局ＭＳＡを有する移動加入者の視点から、移動無線網ＨＰＬＭＮ、すなわち加入者が一時的に滞在するビジター移動無線網と、移動無線網ＦＰＬＭＮ、すなわち自分のホーム移動無線網が図示されている。Ｂ加入者は自分の移動局ＭＳＢと共に移動無線網ＦＰＬＭＮに滞在する。移動無線網ＨＰＬＭＮ内で移動するＡ加入者は自分の移動局ＭＳＡを介してショートメッセージを、自分を現在管理する交換装置ＭＳＣへ送信する。この交換装置は接続されたビジターレジスタＶＬＲを有する。ここで移動局ＭＳＡは、自分のホーム移動無線網ＦＰＬＭＮに存在するサービス装置、例えばサービス装置ＳＭＳＣ２のアドレスを追加する。交換装置ＭＳＣは、ショートメッセージＳＭを正しいサービス装置にルーティングする前に、アドレス比較に基づいてテーブルＴＡＢのテーブル登録がアドレスＢＡＭを含むか否かを検査する。
ローミング中のＡ加入者に対して、ビジター移動無線網ＨＰＬＭＮからもホーム移動無線網ＦＰＬＭＮのネット固有のサービス装置へアクセスして、ショートメッセージを作成することを可能とするため、この移動加入者に対する適切なサービス装置のアドレスが、自分のホーム移動無線網ＦＰＬＭＮの中央加入者データベースＨＬＲ、すなわちホームレジスタで個別に管理される。この実施例では、ホームレジスタＨＬＲの加入者登録が、通常の加入者関連データの他に付加的に、１つまたは複数の使用可能なサービス装置のアドレスＢＳＭを有する。アドレスＢＳＭまたはアドレスは複数の移動加入者に対して同じであっても良い。加入者の滞在地が新たな管轄領域に変化すると直ちに（ロケーションアップデート）、ロード過程が初期化される。このロード過程では、このサービス装置アドレス、ここでは例えばアドレスＢＳＭが、目下の管轄交換装置（例えばＭＳＣ）に配属されたビジターレジスタＶＬＲに伝送される。
交換装置ＭＳＣ、すなわち制御装置ＣＭは受信したアドレス、ここではアドレスＢＳＭをテーブルＴＡＢに読み込むか、またはこれをビジターレジスタＶＬＲへの直接アクセスにより評価する。アドレスＩＤは、移動局ＢＳＭにより受信されたアドレスＢＳＭとテーブルＴＡＢに記憶されたアドレスＢＳＭとの間に存在するから、交換装置はショートメッセージＳＭをホーム移動無線網ＦＰＬＭＮにあるアドレシングされたサービス装置ＳＭＳＣ２にさらにルーティングし、次にこのサービス装置はショートメッセージをＢ加入者ないし移動局ＭＳＢへ送信する。移動無線網のネット固有のサービス装置だけを、それぞれのホームレジスタＨＬＲで管理された移動加入者に対して個別に登録および管理することにより、一方ではこの加入者が外部のネットワークへショートメッセージを送信することが保証され、他方では外部の移動無線網の移動加入者をこの外部のサービス装置に対してサービス装置に対してブロックすることができるようになる。
【図面の簡単な説明】
【図１】  図１は、ショートメッセージサービスを制御するための移動通信システムの第１変形実施例のブロック回路図である。
【図２】  図２は、ショートメッセージサービスを制御するための移動通信システムの第２変形実施例のブロック回路図である。
【図１】
0004248146.tif 000002
【図２】
0004248146.tif 000003